(57)【要約】      （修正有）【課題】拘束溝に挿入された変形可能部材をその長手方向と直交する方向に変形しやすくするブランケット又は刷版のくわえ側及びくわえ尻側を拘束するブランケット又は刷版の固定装置を提供する。【解決手段】ブランケット１０又は刷版のくわえ側１１ａ及びくわえ尻側１１ｂが挿入される拘束溝２１の胴軸方向に変形可能部材として例えば板バネ３０を挿入し、この板バネを押圧部材によって長手方向と直交する方向に変形させることで、板バネによってブランケット又は刷版のくわえ側及びくわえ尻側を拘束するブランケット又は刷版の固定装置において、板バネと接する面に滑り面４１を有する滑り板４０を拘束溝２１の胴軸方向に挿入した。【選択図】図４
0003198481.tif 000002
【実用新案登録請求の範囲】
【請求項１】
輪転機において胴に巻き付けたブランケット又は刷版を固定するブランケット又は刷版の固定装置であって、
前記胴に形成され、前記ブランケット又は刷版のくわえ側が引っ掛けられるとともに、くわえ尻側が挿入される拘束溝と、
前記拘束溝の胴軸方向に挿入される変形可能部材と、
前記変形可能部材の長手方向一端を長手方向中央部に向けて押圧し、当該変形可能部材を長手方向と直交する方向に変形させる押圧部材と、
前記拘束溝の胴軸方向に前記変形可能部材と接するように挿入され、前記変形可能部材と接する面に当該変形可能部材の滑りを助長する滑り面を有する滑り板とを備えたブランケット又は刷版の固定装置。
【請求項２】
前記変形可能部材は、一方の側面が前記ブランケット又は刷版のくわえ側又はくわえ尻側と接し、他方の側面が前記滑り板の滑り面と接するように挿入されている、請求項１に記載のブランケット又は刷版の固定装置。
【請求項３】
前記変形可能部材の前記一方の側面のうち少なくとも前記ブランケット又は刷版のくわえ側又はくわえ尻側に接する部分における胴外周側の角部が面取りされている、請求項２に記載のブランケット又は刷版の固定装置。
【請求項４】
前記変形可能部材は長手方向に沿って波打つ波形形状を有し、その波形形状の前記一方の側面側の頂点部分が前記ブランケット又は刷版のくわえ側又はくわえ尻側と接し、前記頂点部分における胴外周側の角部が面取りされている、請求項３に記載のブランケット又は刷版の固定装置。
【請求項５】
前記滑り板は、一方の側面にのみ前記滑り面を有し、この滑り面である一方の側面が前記変形可能部材と接し、他方の側面が前記ブランケット又は刷版のくわえ側又はくわえ尻側に接するように挿入されている、請求項１に記載のブランケット又は刷版の固定装置。
【請求項６】
前記滑り板の前記他方の側面のうち少なくとも前記ブランケット又は刷版のくわえ側又はくわえ尻側に接する部分における胴外周側の角部が面取りされている、請求項５に記載のブランケット又は刷版の固定装置。
【請求項７】
前記滑り板の滑り面がフッ素樹脂又はダイヤモンドコーティングによって形成されている、請求項１から６のいずれかに記載のブランケット又は刷版の固定装置。
【考案の詳細な説明】
【技術分野】
【０００１】
本考案は、輪転機において胴に巻き付けたブランケット又は刷版を固定するブランケット又は刷版の固定装置に関する。
【背景技術】
【０００２】
新聞などを印刷する輪転機においては、ブランケット胴に巻き付けたブランケットが、回転しながら版胴に巻き付けた刷版から転写されたインキを走行紙に転写することによって印刷を行っている。
【０００３】
従来、ブランケットや刷版をブランケット胴や版胴に巻き付けて固定する方式として、ブランケット胴や版胴に拘束溝を形成し、その拘束溝にブランケットや刷版のくわえ側を引っ掛けるとともに、くわえ尻側を固定する方式が知られている。そして、その固定を確実にするための固定装置が特許文献１に開示されている。この特許文献１の固定装置は、ブランケットのくわえ側（先行端）及びくわえ尻側（後行端）を挿入した拘束溝（挿入溝）に圧入体を圧入することで、ブランケットのくわえ側及びくわえ尻側を拘束溝の壁面に押し付けて固定するものである。しかし、圧入体を圧入するだけでは、ブランケットや刷版の固定は不十分であり、とくにブランケット胴や版胴をより高速で回転させる印刷条件では、ブランケットや刷版が緩んで印刷不良が発生することがあった。
【０００４】
これに対して本願出願人は特許文献２において、拘束溝の胴軸方向に板バネを挿入し、この板バネを押圧部材によって長手方向と直交する方向に撓ませる（変形させる）ことで、この板バネによってブランケット又は刷版のくわえ側及びくわえ尻側を強固に拘束できる固定装置を開示した。ただし、この特許文献２において、板バネが長手方向と直交する方向に変形するには、その板バネが拘束溝の胴軸方向に縮むように動く必要があるところ、拘束溝にはブランケット又は刷版のくわえ側及びくわえ尻側が挿入されているので、このくわえ側又はくわえ尻側との摩擦抵抗によって板バネが円滑に動くことができず、その結果として板バネが長手方向と直交する方向に変形しにくくなり、十分な拘束力が得られないことがあるという問題があった。
【先行技術文献】
【特許文献】
【０００５】
【特許文献１】特開２００２−３２６３４１号公報
【特許文献２】特許第５３０８５６１号公報
【考案の概要】
【考案が解決しようとする課題】
【０００６】
本考案が解決しようとする課題は、ブランケット又は刷版のくわえ側及びくわえ尻側が挿入される拘束溝の胴軸方向に板バネのような変形可能部材を挿入し、この変形可能部材を押圧部材によって長手方向と直交する方向に変形させることで、この変形可能部材によってブランケット又は刷版のくわえ側及びくわえ尻側を拘束するブランケット又は刷版の固定装置において、拘束溝に挿入された変形可能部材を、その長手方向と直交する方向に変形しやすくすることにある。
【課題を解決するための手段】
【０００７】
本考案の固定装置は、輪転機において胴に巻き付けたブランケット又は刷版を固定するブランケット又は刷版の固定装置であって、前記胴に形成され、前記ブランケット又は刷版のくわえ側が引っ掛けられるとともに、くわえ尻側が挿入される拘束溝と、前記拘束溝の胴軸方向に挿入される変形可能部材と、前記変形可能部材の長手方向一端を長手方向中央部に向けて押圧し、当該変形可能部材を長手方向と直交する方向に変形させる押圧部材と、前記拘束溝の胴軸方向に前記変形可能部材と接するように挿入され、前記変形可能部材と接する面に当該変形可能部材の滑りを助長する滑り面を有する滑り板とを備えたものである。
【０００８】
なお、本考案において、「胴」とはブランケット胴及び版胴を総称するものである。
【考案の効果】
【０００９】
本考案によれば、変形可能部材と接する面に滑り面を有する滑り板が拘束溝の胴軸方向に挿入されているので、変形可能部材は滑り板の滑り面に沿って胴軸方向に円滑に動くことができ、その長手方向と直交する方向に変形しやすくなる。よって、変形可能部材の変形による拘束力を十分に発揮でき、ブランケット又は刷版をより確実に固定できる。
【図面の簡単な説明】
【００１０】
【図１】本考案の一実施例による固定装置を適用したブランケット胴の側面図である。
【図２】図１のブランケット胴の要部の正面図である。
【図３】図１のＡ−Ａ断面図である。
【図４】図１のブランケット胴の要部の拡大説明図である。
【図５】図１の実施例において変形可能部材として使用した板バネの形状を示し、（ａ）は斜視図、（ｂ）は（ａ）のＢ−Ｂ断面図である。
【図６】本考案の変形例を示す要部の拡大説明図である。
【図７】板バネの他の例を示す斜視図である。
【考案を実施するための形態】
【００１１】
以下、図面に示す実施例に基づき本考案の実施の形態を説明する。
【００１２】
図１は本考案の一実施例による固定装置を適用したブランケット胴の側面図、図２は図１のブランケット胴の要部の正面図、図３は図１のＡ−Ａ断面図、図４は図１のブランケット胴の要部の拡大断面図である。
【００１３】
本実施例の固定装置は、ブランケット１０をブランケット胴２０に固定するものである。このブランケット胴２０には、例えば１頁周長×２頁幅の２枚のブランケット１０が胴軸方向に並列して巻き付けられる。
【００１４】
ブランケット１０は、図４に表れているように、金属板１１の一面に、その両端部（くわえ側１１ａ及びくわえ尻側１１ｂ）を除いてゴム状のブランケットシート１２を被覆した、いわゆるメタルブランケットであり、そのくわえ側１１ａをブランケット胴２０に形成した拘束溝２１の壁面に引っ掛け、くわえ尻側１１ｂを拘束溝２１内に挿入することで、ブランケット胴２０に巻き付けられる。
【００１５】
拘束溝２１内には、その胴軸方向全長にわたって変形可能部材としての板バネ３０が挿入され、また、この板バネ３０と接するように滑り板４０が胴軸方向全長にわたって挿入されている。本実施例においては、板バネ３０の一方の側面３０ａがブランケット１０のくわえ尻側１１ｂと接し、他方の側面３０ｂが滑り板４０と接する。そして、滑り板４０には、板バネ３０の他方の側面３０ｂと接する面に、板バネ３０の滑りを助長する滑り面４１が形成されている。本実施例において滑り面４１は、アルミニウム板を素材とする滑り板４０の片面に硬質アルマイト処理をし、その上からフッ素樹脂を含浸させることで形成している。ただし、これには限定されず、例えば滑り板４０の素材を鋼板とし、ダイヤモンドコーティング処理によってさらに低摩擦で耐摩耗性に優れた滑り面４１を形成することもできる。
【００１６】
なお、上述のとおり拘束溝２１には、ブランケット１０のくわえ側１１ａ及びくわえ尻側１１ｂのほかに、板バネ３０及び滑り板４０が挿入されるため、これら板バネ３０及び滑り板４０を挿入するスペースを確保するために溝拡張部２１ａが形成されている。そして、この溝拡張部２１ａを形成（加工）するために、ブランケット胴２０の外周部には、胴軸方向に切欠き部２２（図４参照）が形成されている。溝拡張部２１ａを形成（加工）後、切欠き部２２には、充填部材２３が六角穴付ボルト２４によって取り付けられる。
【００１７】
一方、板バネ３０は、図５（ａ）に示すように長手方向に沿って波打つ波形形状を有する。つまり、板バネ３０は、一方の側面３０ａ側の頂点３１ａと他方の側面３０ｂ側の頂点３１ｂとが長手方向に交互に表れる波形形状を有する。この板バネ３０は、図４で説明したように、一方の側面３０ａがブランケット１０のくわえ尻側１１ｂと接するように挿入されるので、波形形状を有する板バネ３０においては、一方の側面３０ａ側の頂点３１ａ部分がブランケット１０のくわえ尻側１１ｂと接する。そして、この一方の側面３０ａ側の頂点３１ａ部分において、胴外周側（拘束溝２１の外周側）の角部は面取りされて面取り部３２（図４及び図５（ｂ）参照）となっている。
【００１８】
また、板バネ３０の長手方向の自然長は、拘束溝２１の胴軸方向の長さより数ｍｍ程度長い。したがって、板バネ３０を拘束溝２１に挿入しただけの状態では、板バネ３０の長手方向の一端が拘束溝２１の端部から突出した状態となる。そして図３に示すように、この板バネ３０の長手方向の一端を押圧部材５０によって長手方向中央部に向けて押圧し、板バネ３０を長手方向と直交する方向に撓ませて変形させる。
【００１９】
押圧部材５０は、ブランケット胴２０の側面に六角穴付ボルト６１を使用して着脱可能に装着した半リング状の保持部材６０に、胴軸方向に移動可能に保持されている。すなわち、保持部材６０には、胴軸方向に沿って貫通孔６０ａが形成されており、この貫通孔６０ａに押圧部材５０が装着されている。また、保持部材６０には貫通孔６０ａに通じる開口部６０ｂが形成されており、押圧部材５０は、この開口部６０ｂを通じて貫通孔６０ａに装着される。なお、本実施例では、印刷時にブランケット胴２０のバランスを保つために、半リング状の保持部材６０と対称に、同じく半リング状の保持部材６０’を装着しているが、これらの保持部材６０，６０’は一体としてもよい
【００２０】
押圧部材５０の胴軸方向一端には、板バネ３０の長手方向一端を嵌め込むためのスリット部５１が形成され、胴軸方向他端には、六角穴付ボルトであるネジ部材７０の先端を嵌め込むための凹部５２が形成されている。ネジ部材７０は、保持部材６０の貫通孔６０ａに対して、胴軸方向に移動可能に螺合されている。すなわち、ネジ部材７０を押圧部材５０側に向けて螺進させることで、押圧部材５０が板バネ３０の長手方向一端を長手方向中央部に向けて押圧する。なお、ネジ部材７０には、緩み止め用のロックナット７１が取り付けられる。
【００２１】
次に、本実施例の固定装置の使用方法の一例を説明する。
【００２２】
まず、保持部材６０を外した状態でブランケット胴２０の側面から、拘束溝２１の溝拡張部２１ａに滑り板４０を挿入する。このとき、滑り板４０は、その滑り面４１が拘束溝２１側を向くように挿入する。続いて、同様にブランケット胴２０の側面から、拘束溝２１の溝拡張部２１ａに板バネ３０を挿入する。このとき、板バネ３０は、その他方の側面３０ｂが滑り板４０の滑り面４１に接するように挿入する。
【００２３】
その後、保持部材６０をブランケット胴２０の側面に装着する際に、上述のとおり開口部６０ｂを通じて押圧部材５０を保持部材６０の貫通孔６０ａに装着するとともに、保持部材６０のスリット部５１に板バネ３０の長手方向一端を嵌め込む。この状態で、六角穴付ボルト６１によって保持部材６０をブランケット胴２０に装着し、その後、ネジ部材７０を押圧部材５０側に向けて螺進させると、押圧部材５０によって板バネ３０の長手方向一端が長手方向中央部に向けて押圧される。なお、押圧する量が定まっている場合は、ネジ部材７０を使用しないで保持部材６０をブランケット胴２０に装着したときに、保持部材６０に固定された押圧部材５０によって板バネ３０の長手方向一端が長手方向中央部に向けて押圧されるようにしてもよい。
【００２４】
これにより、板バネ３０が長手方向と直交する方向に撓むように変形する。そして、このとき板バネ３０は、その他方の側面３０ｂが滑り板４０の滑り面に接しているので、板バネ３０は円滑に動くことができ、長手方向と直交する方向に容易に撓んで変形することができる。したがって、印刷の実行時にブランケット１０のくわえ側１１ａ及びくわえ尻側１１ｂを拘束溝２１内に挿入すると、板バネ３０の変形による拘束力を十分に発揮でき、ブランケット１０を確実に固定できる。なお、板バネ３０は、図５（ａ）に示したように波形形状を有することから、ブランケット１０のくわえ側１１ａ及びくわえ尻側１１ｂを拘束溝２１に挿入した状態では、板バネ３０の一方の側面３０ａ側の頂点３１ａ部分がブランケット１０のくわえ尻１１ｂと接することとなる（図３参照）。
【００２５】
一方、ブランケット１０のくわえ側１１ａ及びくわえ尻１１ｂを拘束溝２１に挿入する前の状態では、板バネ３０の一方の側面３０ａ側の頂点３１ａ部分が拘束溝２１内に位置する。拘束溝２１の溝幅はできるだけ狭くすることが望まれるから、ブランケット１０のくわえ側１１ａ及びくわえ尻１１ｂを挿入するスペースは限られ、拘束溝２１内に板バネ３０（頂点３１ａ部分）があると、ブランケット１０のくわえ側１１ａ及びくわえ尻１１ｂを挿入しにくいことがある。この点、本実施例では上述のとおり、頂点３１ａ部分の胴外周側（拘束溝２１の外周側）の角部は面取りされて面取り部３２となっているので（図４及び図５（ｂ）参照）、ブランケット１０のくわえ側１１ａ及びくわえ尻１１ｂを容易に挿入することができる。なお、面取り部３２は、頂点３１ａ部分だけに限らず、一方の側面３０ａの胴外周側（拘束溝２１の外周側）の角部の全長にわたって形成してもよい。
【００２６】
なお、実施例では、板バネ３０をブランケット１０のくわえ尻１１ｂと接するようにしたが、図６に示すように、滑り板４０をブランケット１０のくわえ尻１１ｂと接するようにしてもよい。この場合、滑り板４０は、一方の側面である滑り面４１が板バネ３０と接し、他方の側面がブランケット１０のくわえ尻１１ｂと接するように挿入する。そして、図４に示した面取り部３２に相当する構成としては、ブランケット１０のくわえ尻１１ｂと接する滑り板４０の他方の側面のうち少なくとも前記ブランケット１０のくわえ尻１１ｂ側に接する部分における胴外周側の角部を面取りして面取り部４２を形成する。なお、この図６の例において、ブランケット１０のくわえ尻１１ｂと接する滑り板４０の他方の側面は滑り面としない。この他方の側面を滑り面とすると、ブランケット１０のくわえ尻１１ｂが印刷時に滑って抜けるおそれがあるからである。さらに、この図６の例において板バネ３０の他方の側面側にも、図４に倣って滑り板４０を配置してもよい。
【００２７】
また、実施例では、拘束溝２１の溝拡張部２１ａをブランケット１０のくわえ尻１１ｂ挿入側に形成し、ブランケット１０のくわえ尻１１ｂを板バネ３０で拘束するようにしたが、拘束溝２１の溝拡張部２１ａをブランケット１０のくわえ側１１ａ挿入側に形成し、ブランケット１０のくわえ側１１ａを板バネ３０又は滑り板４０で拘束するようにしてもよい。ただし、通常は、拘束溝２１がブランケット胴２０の表面に対して鋭角なため、ブランケット胴２０の強度確保の点からは、実施例の構成が好ましい。一方、拘束溝２１がブランケット胴２０の表面に対する角度を直角に近づければ、どちらの側に溝拡張部２１ａを設けてもよい。
【００２８】
さらに、実施例では、板バネ３０として図５（ａ）に示したように波形形状を有するものを使用したが、図７に示すように平板状の板バネ３０を使用し、これを同図に破線で示すように撓ませて変形させるようにしてもよい。また、実施例では、板バネ３０の自然長を、拘束溝２１の長さより数ｍｍ程度長くして、板バネ３０の長手方向の一端が拘束溝２１の端部から突出するようにしたが、必ずしも、板バネ３０の長手方向の一端は拘束溝２１の端部から突出させる必要はない。いずれにしても、板バネ３０の長手方向の一端を押圧部材５０によって長手方向中央部に向けて押圧し、板バネ３０を長手方向と直交する方向に変形させることができればよい。
【００２９】
また、実施例では、変形可能部材として板バネを使用したが、これには限定されず、例えばゴム板を使用してもよい。この場合、ゴム板の長手方向の一端を押圧部材５０によって長手方向中央部に向けて押圧し、このゴム板を長手方向と直交する方向に膨張するように変形させる。要するに本考案において変形可能部材とは、拘束溝に挿入された状態で、その長手方向の一端を押圧部材によって長手方向中央部に向けて押圧することで、その長手方向と直交する方向に変形可能な部材であればよい。
【００３０】
また、実施例は、ブランケット胴２０に１頁周長×２頁幅の２枚のブランケット１０を胴軸方向に並列して巻き付ける例で、４頁幅のブランケット胴２０の胴軸方向に拘束溝２１を一直線状に設けたが、２頁幅の拘束溝を胴の周方向に位相をずらして設けてもよい。この場合、胴の側面から、それぞれ各拘束溝に挿入された変形可能部材の長手方向一端を長手方向中央部に向けて押圧することになる。
【００３１】
また、胴の幅は、４頁幅ではなく２頁幅であってもよい。この場合、２頁幅の１枚のブランケットを巻き付けて、胴の両側面から、変形可能部材の長手方向両端を長手方向中央部に向けて押圧することができる。
【００３２】
なお、以上の実施例では、ブランケットを固定する場合について説明したが、刷版も同様に固定できることは自明である。
【符号の説明】
【００３３】
１０  ブランケット
１１  金属板
１１ａ  くわえ側
１１ｂ  くわえ尻側
１２  ブランケットシート
２０  ブランケット胴
２１  拘束溝
２１ａ  溝拡張部
２２  切欠き部
２３  充填部材
２４  六角穴付ボルト
３０  板バネ（変形可能部材）
３０ａ  一方の側面
３０ｂ  他方の側面
３１ａ，３１ｂ  頂点
３２  面取り部
４０  滑り板
４１  滑り面
４２  面取り部
５０  押圧部材
５１  スリット部
５２  凹部
６０，６０’  保持部材
６０ａ  貫通孔
６０ｂ  開口部
６１  六角穴付ボルト
７０  ネジ部材
７１  ロックナット
【図１】
0003198481.tif 000003
【図２】
0003198481.tif 000004
【図３】
0003198481.tif 000005
【図４】
0003198481.tif 000006
【図５】
0003198481.tif 000007
【図６】
0003198481.tif 000008
【図７】
0003198481.tif 000009